(57)【要約】【課題】  画像形成装置の電源がオフされた場合に、磁気記憶装置への電源供給も速やかにオフさせることができる画像形成装置を提供する。【解決手段】  データを記憶する磁気記憶部１３２と、磁気記憶部１３２へのデータの書き込みと読み出しとを制御するハードディスクコントローラ１３１と、磁気記憶部１３２にデータを書き込む処理又は磁気記憶部１３２からデータを読み出す処理を含むデータ処理の終了後に、磁気記憶部１３２にデータを書き込む処理又は磁気記憶部１３２からデータを読み込む処理を含む処理要求を受信しているか否かを判定して、処理要求を受信していないと判定すると、磁気記憶部１３２の磁気ディスクの書き込み位置又は読み出し位置にある磁気ヘッド１３８を、磁気ヘッド１３８を支持するランプ部材１３９の支持位置に移動させるように、ハードディスクコントローラ１３１に指示信号を送る制御部１００とを有している。【選択図】        図１
2011192370.tif 000002
【特許請求の範囲】
【請求項１】
データを記憶する磁気記憶装置と、
前記磁気記憶装置へのデータの書き込みと読み出しとを制御するコントローラと、
前記磁気記憶装置にデータを書き込む処理又は前記磁気記憶装置からデータを読み出す処理を含むデータ処理の終了後に、前記磁気記憶装置にデータを書き込む処理又は前記磁気記憶装置からデータを読み込む処理を含む処理要求を受信しているか否かを判定して、該処理要求を受信していないと判定すると、前記磁気記憶装置の磁気ディスクの書き込み位置又は読み出し位置にある磁気ヘッドを、該磁気ヘッドを支持する支持部材の支持位置に移動させるように、前記コントローラに指示信号を送る制御手段と、
を有する画像形成装置。
【請求項２】
前記制御手段は、前記処理要求を受信していると判定すると、前記磁気ヘッドを前記支持部材の支持位置に移動させないことを特徴とする請求項１記載の画像形成装置。
【請求項３】
前記処理要求には、画像データの入力を受け付けて、入力を受け付けた画像データを前記磁気記憶装置に記憶させる処理と、画像データの入力を受け付けて、入力を受け付けた画像データを前記磁気記憶装置に記憶させるとともに、該磁気記憶装置から画像データを読み出して画像を形成する処理要求と、用紙に印刷された画像を読み込んで、前記磁気記憶装置に記憶させる処理要求と、用紙に印刷された画像を画像データとして読み込み前記磁気記憶装置に記憶させると共に、前記磁気記憶装置から画像データを読み出して画像を形成する処理要求と、前記磁気記憶装置に記憶した画像データを読み出して画像を形成する処理要求との少なくとも１つを含むことを特徴とする請求項１又は２記載の画像形成装置。
【請求項４】
外部装置と通信を行う通信インターフェースを備え、
前記制御手段は、前記通信インターフェースを介して外部装置から接続要求を受信している場合に、前記磁気ヘッドを前記支持部材の支持位置に移動させないことを特徴とする請求項１又は２記載の画像形成装置。
【請求項５】
前記制御手段は、前記画像形成装置が電力消費量を削減する省電力モードから復帰した場合に、前記省電力モードからの復帰時間をカウントし、設定された第１設定時間の間は、前記磁気ヘッドを前記支持部材の支持位置に移動させないことを特徴とする請求項１から４のいずれか一項記載の画像形成装置。
【請求項６】
前記制御手段は、操作部の操作入力を受け付けてからの経過時間をカウントし、設定された第２設定時間の間は、前記磁気ヘッドを前記支持部材の支持位置に移動させないことを特徴とする請求項１から５のいずれか一項記載の画像形成装置。
【請求項７】
データファイルを作成するデータファイル作成手段と、前記データファイル作成手段で作成されたデータファイルを記憶する記憶手段と、前記記憶手段に記憶されたデータファイルにデータの追加、修正又は削除を行うファイル構成変更手段と、前記データファイル作成手段によりデータファイルが作成中である場合と、前記ファイル構成変更手段によりデータファイルにデータの追加、修正又は削除が行われている場合との少なくとも一方において、画像を形成する画像形成装置に、データファイルの作成中又はデータファイルにデータの追加、修正又は削除が行われている旨を通知する通知手段とを有するコンピュータ装置と、
データを記憶する磁気記憶装置と、
前記磁気記憶装置へのデータの書き込みを制御するコントローラと、前記磁気記憶装置にデータを書き込む処理又は前記磁気記憶装置からデータを読み出す処理を含むデータ処理の終了後に、次に前記磁気記憶装置にデータを書き込む処理又は前記磁気記憶装置からデータを読み込む処理を含む処理要求を受信しているか否かを判定して、該処理要求を受信していないと判定すると、前記磁気記憶装置の磁気ディスクの書き込み位置又は読み出し位置にある磁気ヘッドを、該磁気ヘッドを支持する支持部材の支持位置に移動させるように、前記コントローラに指示信号を送る制御手段とを有する画像形成装置とを有し、
前記制御手段は、前記コンピュータ装置の前記通知手段よりデータファイルの作成中又はデータファイルにデータの追加、修正又は削除が行われている旨を通知を受けると、前記磁気ヘッドを前記支持部材の支持位置に移動させないことを特徴とする画像形成システム。
【請求項８】
コンピュータに、
データを記憶する磁気記憶装置へのデータ書き込み処理又は前記磁気記憶装置からのデータ読み出し処理を含むデータ処理の終了後に、前記磁気記憶装置にデータ書き込み処理又は前記磁気記憶装置からのデータ読み出し処理を含む処理要求を受信しているか否かを判定する処理と、
前記処理要求を受信していないと判定すると、前記磁気記憶装置の磁気ディスクの書き込み位置又は読み出し位置にある磁気ヘッドを、該磁気ヘッドを支持する支持部材の支持位置に移動させるように、前記磁気記憶装置へのデータの書き込みと読み出しとを制御するコントローラに指示する処理と、を実行させるプログラム。
【発明の詳細な説明】
【技術分野】
【０００１】
本発明は、画像形成装置、画像形成システム及びプログラムに関する。
【背景技術】
【０００２】
ハードディスク装置等の磁気記憶装置を備えた画像形成装置は、画像形成装置の電源スイッチがオフされると、磁気ディスクにデータを書き込んだり読み出したりする磁気ヘッドを、磁気ディスク上から磁気ヘッドを支持する支持部材の位置まで移動させ、その後に、磁気記憶装置への電源供給を停止させていた。
【０００３】
磁気ヘッドのロード／アンロード制御方法に関する発明が特許文献１に開示されている。
【先行技術文献】
【特許文献】
【０００４】
【特許文献１】特開２００５−３３２５７５号公報
【発明の概要】
【発明が解決しようとする課題】
【０００５】
本発明は、画像形成装置の電源がオフされた場合に、磁気記憶装置への電源供給も速やかにオフさせることができる画像形成装置、画像形成システム及びプログラムを提供することを目的とする。
【課題を解決するための手段】
【０００６】
かかる目的を達成するために請求項１記載の発明は、データを記憶する磁気記憶装置と、前記磁気記憶装置へのデータの書き込みと読み出しとを制御するコントローラと、前記磁気記憶装置にデータを書き込む処理又は前記磁気記憶装置からデータを読み出す処理を含むデータ処理の終了後に、前記磁気記憶装置にデータを書き込む処理又は前記磁気記憶装置からデータを読み込む処理を含む処理要求を受信しているか否かを判定して、該処理要求を受信していないと判定すると、前記磁気記憶装置の磁気ディスクの書き込み位置又は読み出し位置にある磁気ヘッドを、該磁気ヘッドを支持する支持部材の支持位置に移動させるように、前記コントローラに指示信号を送る制御手段とを備える。
【０００７】
請求項２記載の発明は、請求項１記載の発明において、前記制御手段は、前記処理要求を受信していると判定すると、前記磁気ヘッドを前記支持部材の支持位置に移動させないとよい。
【０００８】
請求項３記載の発明は、請求項１又は２記載の発明において、前記処理要求には、画像データの入力を受け付けて、入力を受け付けた画像データを前記磁気記憶装置に記憶させる処理と、画像データの入力を受け付けて、入力を受け付けた画像データを前記磁気記憶装置に記憶させるとともに、該磁気記憶装置から画像データを読み出して画像を形成する処理要求と、用紙に印刷された画像を読み込んで、前記磁気記憶装置に記憶させる処理要求と、用紙に印刷された画像を画像データとして読み込み前記磁気記憶装置に記憶させると共に、前記磁気記憶装置から画像データを読み出して画像を形成する処理要求と、前記磁気記憶装置に記憶した画像データを読み出して画像を形成する処理要求との少なくとも１つを含むとよい。
【０００９】
請求項４記載の発明は、請求項１又は２記載の発明において、外部装置と通信を行う通信インターフェースを備え、前記制御手段は、前記通信インターフェースを介して外部装置から接続要求を受信している場合に、前記磁気ヘッドを前記支持部材の支持位置に移動させないとよい。
【００１０】
請求項５記載の発明は、請求項１から４のいずれか一項記載の発明において、前記制御手段は、前記画像形成装置が電力消費量を削減する省電力モードから復帰した場合に、前記省電力モードからの復帰時間をカウントし、設定された第１設定時間の間は、前記磁気ヘッドを前記支持部材の支持位置に移動させないとよい。
【００１１】
請求項６記載の発明は、請求項１から５のいずれか一項記載の発明において、前記制御手段は、操作部の操作入力を受け付けてからの経過時間をカウントし、設定された第２設定時間の間は、前記磁気ヘッドを前記支持部材の支持位置に移動させないとよい。
【００１２】
請求項７記載の発明は、データファイルを作成するデータファイル作成手段と、前記データファイル作成手段で作成されたデータファイルを記憶する記憶手段と、前記記憶手段に記憶されたデータファイルにデータの追加、修正又は削除を行うファイル構成変更手段と、前記データファイル作成手段によりデータファイルが作成中である場合と、前記ファイル構成変更手段によりデータファイルにデータの追加、修正又は削除が行われている場合との少なくとも一方において、画像を形成する画像形成装置に、データファイルの作成中又はデータファイルにデータの追加、修正又は削除が行われている旨を通知する通知手段とを有するコンピュータ装置と、データを記憶する磁気記憶装置と、前記磁気記憶装置へのデータの書き込みを制御するコントローラと、前記磁気記憶装置にデータを書き込む処理又は前記磁気記憶装置からデータを読み出す処理を含むデータ処理の終了後に、次に前記磁気記憶装置にデータを書き込む処理又は前記磁気記憶装置からデータを読み込む処理を含む処理要求を受信しているか否かを判定して、該処理要求を受信していないと判定すると、前記磁気記憶装置の磁気ディスクの書き込み位置又は読み出し位置にある磁気ヘッドを、該磁気ヘッドを支持する支持部材の支持位置に移動させるように、前記コントローラに指示信号を送る制御手段とを有する画像形成装置とを有し、前記制御手段は、前記コンピュータ装置の前記通知手段よりデータファイルの作成中又はデータファイルにデータの追加、修正又は削除が行われている旨を通知を受けると、前記磁気ヘッドを前記支持部材の支持位置に移動させないことを特徴とする。
【００１３】
請求項８記載の発明は、コンピュータに、データを記憶する磁気記憶装置へのデータ書き込み処理又は前記磁気記憶装置からのデータ読み出し処理を含むデータ処理の終了後に、前記磁気記憶装置にデータ書き込み処理又は前記磁気記憶装置からのデータ読み出し処理を含む処理要求を受信しているか否かを判定する処理と、前記処理要求を受信していないと判定すると、前記磁気記憶装置の磁気ディスクの書き込み位置又は読み出し位置にある磁気ヘッドを、該磁気ヘッドを支持する支持部材の支持位置に移動させるように、前記磁気記憶装置へのデータの書き込みと読み出しとを制御するコントローラに指示する処理と、を実行させることを特徴とする。
【発明の効果】
【００１４】
請求項１記載の発明によれば、画像形成装置の電源がオフされた場合に、磁気記憶装置への電源供給も速やかにオフさせることができる。
【００１５】
請求項２記載の発明によれば、磁気ヘッドを支持位置に移動させた後に再度、磁気ディスク上の書き込み位置又は読み出し位置に移動させる処理を行う必要がなくなる。
【００１６】
請求項３記載の発明によれば、磁気記憶装置へのデータ書き込み又はデータ読み出しの処理があると判定された場合には、磁気ヘッドを支持位置に移動させないようにすることができる。
【００１７】
請求項４記載の発明によれば、磁気記憶装置へのデータ書き込み又はデータ読み出しの処理が行われる可能性が高い場合に、磁気ヘッドを支持位置に移動させないようにすることができる。
【００１８】
請求項５記載の発明によれば、磁気記憶装置へのデータ書き込み又はデータ読み出しの処理が行われる可能性が高い場合に、磁気ヘッドを支持位置に移動させないようにすることができる。
【００１９】
請求項６記載の発明によれば、磁気記憶装置へのデータ書き込み又はデータ読み出しの処理が行われる可能性が高い場合に、磁気ヘッドを支持位置に移動させないようにすることができる。
【００２０】
請求項７記載の発明によれば、画像形成装置の電源がオフされた場合に、磁気記憶装置への電源供給も速やかにオフさせることができる。さらに、磁気記憶装置へのデータ書き込み又はデータ読み出しの処理が行われる可能性が高い場合に、磁気ヘッドを支持位置に移動させないようにすることができる。
【００２１】
請求項８記載の発明によれば、画像形成装置の電源がオフされた場合に、磁気記憶装置への電源供給も速やかにオフさせることができる。
【図面の簡単な説明】
【００２２】
【図１】画像形成装置の構成の一例を示すブロック構成図である。
【図２】磁気記憶装置の構成の一例を示す図である。
【図３】制御部の処理手順を示すフローチャートである。
【図４】制御部の処理手順を示すフローチャートである。
【図５】（Ａ）は、省電力モードから通常モードに復帰してからの経過時間と磁気ヘッドのアンドロードとの関係を示す図であり、（Ｂ）は、操作部で操作入力を受け付けてからの経過時間と磁気ヘッドのアンドロードとの関係を示す図であり、（Ｃ）は、処理が終了してから省電力モードに移行するまでの時間と磁気ヘッドのアンドロードとの関係を示す図である。
【発明を実施するための形態】
【００２３】
以下、添付図面を参照しながら本発明の好適な実施例を説明する。
【実施例】
【００２４】
まず、図１を参照しながら本実施例の構成について説明する。
本実施例は、画像形成装置１とコンピュータ装置１０とを備える。画像形成装置１とコンピュータ装置１０とは、ネットワーク２００で接続されている。
【００２５】
画像形成装置１は、制御部１００と、入出力インターフェース（以下、インターフェースをＩ／Ｆと略記する）１１０と、グラフィックＩ／Ｆ１５０と、ネットワークＩ／Ｆ１６０とを内部バス１８０で接続した構成を備える。入出力Ｉ／Ｆ１１０には、操作部１２１、スキャナ１２２、画像処理部１２４、画像形成部１２５、磁気記憶装置１３０、電源装置１４０が接続されている。
【００２６】
制御部１００は、ハードウェアとしてＣＰＵ（Central Processing Unit）１０１と、ＲＯＭ（Read Only Memory）１０２と、ＲＡＭ（Random Access Memory）１０３とを備える。ＲＯＭ１０２には、ＣＰＵ１０１が制御に使用する制御プログラムが記録されている。ＣＰＵ１０１は、起動すると、制御プログラムをＲＯＭ１０２から読み出してＲＡＭ１０３に記憶させる。その後、ＣＰＵ１０１は、ＲＡＭ１０３に記憶したプログラムに従って処理を実行する。ＲＡＭ１０３は、ＣＰＵ１０１のワークメモリとして使用され、ＣＰＵ１０１が演算に使用するデータ等が記憶される。
【００２７】
操作部１２１は、テンキーや操作ボタンなどを備えている。入出力Ｉ／Ｆ１１０は、操作部１２１から入力された操作情報を受け付けて、受け付けた操作情報を制御部１００に送る。
【００２８】
スキャナ１２２は、原稿台上に置かれた原稿の画像を読み込み、読み込んだ画像データを入出力Ｉ／Ｆ１１０を介して制御部１００に送る。制御部１００は、スキャナ１２２で読み取られた画像データを磁気記憶装置１３０に送って記憶させる。なお、スキャナ１２２は、原稿台上に原稿が置かれているか否かを検出するセンサ１２３を備えている。センサ１２３は、原稿台上に原稿が置かれたことを検出すると、検出信号を制御部１００に送る。
【００２９】
画像処理部１２４は、入出力Ｉ／Ｆ１１０を介して制御部１００から送られた画像データに、濃度変換、回転処理、拡大、縮小等の画像処理を行い、処理後の画像データを画像形成部１２５に送る。画像形成部１２５は、画像処理部１２４から送られた画像データを受け取り、制御部１００の制御により所定の用紙に画像を形成する。
【００３０】
磁気記憶装置１３０は、ハードディスク装置等の磁気記憶装置である。磁気記憶装置１３０は、ネットワーク２００に接続した外部機器から送られる文書データや画像データ、コンピュータ装置１０で作成された文書データや画像データ、スキャナ１２２で読み込んだ画像データ等を記憶する。
【００３１】
磁気記憶装置１３０は、ハードディスクコントローラ１３１と、磁気記憶部１３２とを備える。図２に、磁気記憶装置１３０のより詳細な構成の一例を示す。
磁気記憶部１３２は、データを記憶する磁気ディスク媒体１３６と、アーム部１３７の先端部に固設された磁気ヘッド１３８と、磁気ヘッド１３８を磁気ディスク媒体１３６上から退避させる支持部材であるランプ部材１３９等を備えている。また、磁気記憶部１３２の制御や駆動のために、磁気記憶装置１３０には、本発明のコントローラとして機能するハードディスクコントローラ１３１、ＭＣＵ（Micro Control Unit）１３３、アンプ１３４、ドライバ１３５等が設けられている。ハードディスクコントローラ１３１は、制御部１００とのインターフェースを処理したり、リード／ライトデータの転送制御を行う。ＭＣＵ１３３は、ドライバ１３５を制御して、モータ（ボイスコイルモータ、スピンドルモータ）の回転速度等を制御する。アンプ１３４は、磁気ヘッド１３８により読み出されたリードデータを増幅する。増幅されたリードデータは、不図示の信号処理部により処理され、ハードディスクコントローラ１３１に送られる。また、アンプ１３４は、ライトデータをライト電流に変換して、磁気ヘッド１３８に供給する。
【００３２】
電源装置１４０は、制御部１００の制御に従って、画像形成装置１の各部に電源を供給する。なお、図１には、簡略化して、電源装置１４０から磁気記憶装置１３０への電源供給線だけを示す。
【００３３】
グラフィックＩ／Ｆ１５０は、制御部１００で処理されたグラフィックデータを表示部１５１に表示させるためのインタフェースであり、表示部１５１に表示させるためにグラフィックデータを波形電気信号に変換する。
【００３４】
ネットワークＩ／Ｆ１６０は、例えば、ＬＡＮ（Local Area Network）等のネットワーク２００に接続したコンピュータ装置１０と通信を行う通信インタフェースである。ネットワークＩ／Ｆ１６０は、ネットワーク２００に接続したコンピュータ装置や画像形成装置等の外部機器から送られる文書データや画像データを受信して、受信した文書データや画像データを制御部１００に送る。制御部１００は、ネットワークＩ／Ｆス１６０から送られた文書データや画像データを磁気記憶装置１３０に送り、磁気記憶装置１３０に記憶させる。
【００３５】
また、コンピュータ装置１０も画像形成装置１と同様に、ＣＰＵ（不図示）、メモリ２５等のハードウェアを備えた制御部２０を備えている。制御部２０は、メモリ２５に記録されたプログラムに従って、ＣＰＵが制御を行うことにより、図１に示すアプリケーションソフトウェア２１、ＯＳ（オペレーティングシステム）２２、デバイスドライバ２３等の処理ブロックが制御部２０に構築される。
アプリケーションソフトウェア２１は、コンピュータ装置１０の操作部の操作から文書データ等の作成要求を受け付けた場合や、メモリ２５に記憶した文書データ等の操作要求を受け付けた場合に、ＯＳ２２、デバイスドライバ２３を介して画像形成装置１の制御部１００に、操作指示があったことを通知する。
【００３６】
次に、図３、４を参照しながら制御部１００の制御フローを説明する。
操作部１２１に設けられた電源ボタンがオンされた場合、また、省電力モード状態から、画像の形成が可能な通常の動作モードへ復帰するための操作を操作部１２１で受け付けた場合に（ステップＳ１／ＹＥＳ）、制御部１００は、ランプ部材１３９に退避させていた磁気記憶装置１３０の磁気ヘッド１３８を、磁気ディスク媒体１３６上に移動させるよう、ハードディスクコントローラ１３１に指示する（以下、磁気ヘッド１３８を、磁気ディスク媒体１３６上に移動させる動作をロードと呼ぶ）（ステップＳ２）。
【００３７】
次に、制御部１００は、処理要求を受け付けたか否かを判定する（ステップＳ３）。処理の実行要求には、操作部１２１で操作入力を受け付けたか否か、スキャナ１２２の原稿台上に画像を読み取る原稿が置かれたか否か、コンピュータ装置１０から印刷要求のコマンドを受信したか否かなどが含まれる。この他に、処理要求には、画像データをネットワークＩ／Ｆ１６０を介して受信し、受信した画像データを磁気記憶装置１３０に記憶させる処理要求と、用紙に記録された画像をスキャナ１２２で読み込んで、磁気記憶装置１３０に記憶させる処理要求と、磁気記憶装置に記憶された画像データを読み出して、用紙に画像を形成する処理要求等が含まれる。
制御部１００は、処理の実行要求を受け付けた場合には（ステップＳ３／ＹＥＳ）、受け付けた処理の実行を、スキャナ１２２、画像処理部１２４、画像形成部１２５、磁気記憶装置１３０等に指示する（ステップＳ４）。
【００３８】
次に、制御部１００は、受け付け済みの次の処理要求があるか否かを判定する（ステップＳ５）。受け付け済みの次の処理要求があった場合（ステップＳ５／ＹＥＳ）、制御部１００は、上述のように処理の実行を指示する（ステップＳ４）。また、受け付け済みの次の処理要求がなかった場合（ステップＳ５／ＮＯ）や、ステップＳ３で処理要求を受け付けていなかった場合には（ステップＳ３／ＮＯ）、磁気ヘッド１３８をアンロードするか否かの判定処理を実行する（ステップＳ６）。この判定処理の詳細については、図４に示すフローチャートを参照しながら後述する。なお、アンロードとは、磁気ディスク媒体１３６のデータ書き込み位置又はデータ読み出し位置にある磁気ヘッド１３８をランプ部材１３９に退避させる処理をいう。
【００３９】
ステップＳ６の判定処理の処理結果が磁気ヘッド１３８をランプ部材１３９にアンロードさせるとの判定結果であった場合、（ステップＳ７／ＹＥＳ）、制御部１００は、アンロード処理を実行し、磁気ディスク媒体１３６のデータ書き込み位置又はデータ読み出し位置にある磁気ヘッド１３８をランプ部材１３９に退避させる（ステップＳ８）。また、制御部１００は、磁気ヘッド１３８をランプ部材１３９に退避させると、所定時間毎に処理要求を受け付けたか否かを判定する（ステップＳ９）。制御部１００は、処理要求を受け付けたと判定した場合には（ステップＳ９／ＹＥＳ）、磁気ヘッド１３８を磁気ディスク媒体１３６上にロードして（ステップＳ１０）、ステップＳ４からの処理を繰り返す。また、ステップＳ９において、処理要求を受け付けておらず（ステップＳ９／ＮＯ）、最後に処理要求を実行してからの経過時間が所定時間を経過した場合には（ステップＳ１１／ＹＥＳ）、制御部１００は、画像形成装置１を省電力モードに移行させる（ステップＳ１２）。また、処理要求を実行してからの経過時間が所定時間を経過しておらず（ステップＳ１１／ＮＯ）、電源オフの操作を操作部１２１で受け付けた場合には（ステップＳ１３／ＹＥＳ）、制御部１００は、電源装置１４０に電源供給停止の指示を通知し、処理を終了する。また。電源オフの操作を操作部１２１で受け付けていない場合には（ステップＳ１３／ＮＯ）、制御部１００は、ステップＳ９からの処理を繰り返す。
【００４０】
次に、図４に示すフローチャートを参照しながら、磁気ヘッド１３８を磁気ディスク媒体１３６上からアンロードするか否かの判定処理の詳細について説明する。
制御部１００は、まず、受け付け済みの次の処理要求があるか否かを判定する（ステップＳ２１）。受け付け済みの次の処理要求があると判定すると（ステップＳ２１／ＹＥＳ）、制御部１００は、磁気ヘッド１３８のアンロードを実施しないと判定（不実施判定）し（ステップＳ３０）、処理をステップＳ７へ移行させる。
【００４１】
また、受け付け済みの次の処理要求がなかった場合には（ステップＳ２１／ＮＯ）、制御部１００は、コンピュータ装置１０から、作成中のファイルがあるとの通知、又はメモリ２５からファイルを読み出し、操作が行われているとの通知があるか否かを判定する（ステップＳ２２）。コンピュータ装置１０から、作成中のファイルがある、又はファイル操作が行われているファイルがあるとの通知があると判定すると（ステップＳ２２／ＹＥＳ）、制御部１００は、磁気ヘッド１３８のアンロードを実施しないと判定（不実施判定）し（ステップＳ３０）、処理をステップＳ７へ移行させる。
【００４２】
また、コンピュータ装置１０からファイルの操作が行われているとの通知がないと判定した場合（ステップＳ２２／ＮＯ）、次に、制御部１００は、処理要求を受信する通信ポートの接続状態をネットワークＩ／Ｆ１６０を介して確認する（ステップＳ２３）。受信ポートの接続状態がコネクションが確立された状態にあると判定した場合（ステップＳ２４／ＹＥＳ）、制御部１００は、磁気ヘッド１３８のアンロードを実施しないと判定（不実施判定）し（ステップＳ３０）、処理をステップＳ７へ移行させる。コネクションが確立された状態とは、例えば、受信ポートの状態が、SYNC RCVDモード又はESTABLISHEDモード(イーサネット(登録商標)のTCP/IPの場合)、又はＵＳＢではSuspendedモードである場合に、制御部１００はコネクションが確立された状態と判定する。
なお、ステップＳ２１、ステップＳ２２、ステップＳ２４の各判定処理は、図４に示した順序以外の順序で実施してもよく、また、いずれか１つの判定処理のみで実施してもよい。
【００４３】
また、受信ポートの接続状態を確認した結果、コネクションが確立された受信ポートがないと判定すると（ステップＳ２４／ＮＯ）、制御部１００は、省電力モードから復帰した履歴があるか否かを判定する。省電力モードから復帰した履歴があった場合（ステップＳ２５／ＹＥＳ）、制御部１００は、通常動作モードに復帰してからの経過時間がＴ１［ｓｅｃ］以上経過しているか否かを判定する（ステップＳ２６）。図５（Ａ）に示すように省電力モードから通常動作モードに復帰してからの経過時間がＴ１以上経過していないと判定すると（ステップＳ２６／ＮＯ）、制御部１００は、磁気ヘッド１３８のアンロードを実施しないと判定（不実施判定）し（ステップＳ３０）、処理をステップＳ７へ移行させる。省電力モードから通常動作モードに復帰した後の所定時間は、処理要求の入力を受け付ける可能性が高いので、磁気ヘッド１３８のアンロードを実施しない。
【００４４】
また、通常動作モードに復帰してからの経過時間がＴ１以上経過していると判定すると（ステップＳ２６／ＹＥＳ）、制御部１００は、最後に操作部１２１で操作入力を受け付けてから、経過時間Ｔ２［ｓｅｃ］以上経過しているか否かを判定する（ステップＳ２７）。図５（Ｂ）に示すように、操作部１２１で操作入力を受け付けてからの経過時間が所定時間Ｔ２未満の場合には（ステップＳ２７／ＮＯ）、さらに操作が入力される可能性が高いため、磁気ヘッド１３８のアンロードを実施しない。制御部１００は、最後に操作部１２１で操作入力を受け付けてからの経過時間がＴ２［ｓｅｃ］未満であると判定すると（ステップＳ２７／ＮＯ）、磁気ヘッド１３８のアンロードを実施しないと判定（不実施判定）し（ステップＳ３０）、処理をステップＳ７へ移行させる。
【００４５】
また、最後に操作部１２１で操作入力を受け付けてからＴ２［ｓｅｃ］以上経過していると判定すると（ステップＳ２７／ＹＥＳ）、スキャナ１２２のセンサ１２３からの通知により、原稿台上に原稿が置かれているか否かを判定する（ステップＳ２８）。原稿台上に原稿が置かれていると判定すると（ステップＳ２８／ＹＥＳ）、制御部１００は、磁気ヘッド１３８のアンロードを実施しないと判定（不実施判定）し（ステップＳ３０）、処理をステップＳ７へ移行させる。
【００４６】
また、原稿台上に原稿が置かれていないと判定すると（ステップＳ２８／ＮＯ）、制御部１００は、磁気ヘッド１３８をランプ部材１３９にアンロードすると判定（実行判定）する（ステップＳ２９）。
【００４７】
なお、上述したフローでは、省電力モードから通常動作モードに復帰してからの経過時間により、磁気ヘッド１３８をアンロードするか否かを判定していたが、通常動作モードから省エネモードに移行する予定時刻が予め分かっている場合には、制御部１００は、この省エネモード移行までの時間を考慮して、磁気ヘッド１３８をアンロードするか否かを判定してもよい。例えば、図５（Ｃ）に示すように、省エネモードに移行するまでの時間が設定時間Ｔ３［ｓｅｃ］よりも短い場合には、磁気ヘッド１３８のアンロードは行わない。
【００４８】
以上、説明したように本実施例は、処理要求を受け付けていないと判定すると、磁気ヘッド１３８をランプ部材１３９にアンロードする。従って、画像形成装置１の電源がオフされた場合に、磁気ヘッド１３８をランプ部材１３９にアンロードする処理を行う必要がなく、磁気記憶装置１３０への電源供給も速やかにオフすることが可能となる。このため、磁気ヘッド１３８がランプ部材１３９にアンロードされるまで、磁気記憶装置１３０への電源供給を継続させる特別なハードウェアを電源装置１４０に設ける必要がなくなる。
また、磁気ヘッド１３８が磁気ディスク媒体１３６上にあるときに、電源がオフされる発生回数を低減することができる。このため、磁気記憶装置１３０の緊急退避機能等が働くケースを低減させることができる。なお、緊急退避機能とは、ＣＰＵでの制御は実行できないため、強制的に磁気ヘッド１３８をランプ部材１３９上に退避させる機能である。これは、磁気記憶装置１３０内に電荷をためておき、この電荷を強制的にボイスコイルモータに放出する、あるいはハードディスク内のスピンドルモータ（ＳＰＭ）の回転により発生する逆起電力を利用し、この逆起電力による電荷をボイスコイルモータに流すことにより磁気ヘッド１３８をランプ部材１３９上に退避させるものである。
【００４９】
また、磁気ヘッド１３８をランプ部材１３９にアンロードさせるか否かの判断を、画像形成装置１の制御部１００で行っている。このため、磁気記憶装置１３０側には特別な制御機構を設ける必要がない。従って、製造メーカが異なることで磁気記憶装置１３０の動作が異なっても、画像形成装置１に磁気記憶装置１３０を搭載することが可能である。
【００５０】
上述した実施例は、本発明の好適な実施の例である。但し、これに限定されるものではなく、本発明の要旨を逸脱しない範囲内において種々変形実施が可能である。
【符号の説明】
【００５１】
１  画像形成装置
１０  コンピュータ装置
１００  制御部（制御手段）
１３０  磁気記憶装置
１４０  電源装置
１３１  ハードディスクコントローラ（コントローラ）
１３８  磁気ヘッド
１３９  ランプ部材（支持部材）
【図１】
2011192370.tif 000003
【図２】
2011192370.tif 000004
【図３】
2011192370.tif 000005
【図４】
2011192370.tif 000006
【図５】
2011192370.tif 000007